(57)【要約】【課題】複数の無線通信方式に対応する基地局内でのハンドオーバ発生時における基地局と上位ノード間の回線負荷を軽減することが可能な無線通信システムを提供する。【解決手段】無線通信システムは、第１の無線通信方式及び第１の無線通信方式と異なる第２の無線通信方式に対応する基地局２と、基地局２と通信回線５を介して接続され、第１の無線通信方式に対応する無線ネットワーク制御装置３とを有する。そして無線ネットワーク制御装置３は、第１の無線通信方式に従って基地局２と無線接続される移動局４について、第２の無線通信方式に従って基地局２と無線接続するようハンドオーバが発生したときに、移動局４へ送信される第１のデータを通信回線５を介して基地局２へ送信し、基地局２は、受信した第１のデータを第２の無線通信方式に従って移動局４へ送信する。【選択図】図１
2018074402.tif 000002
【特許請求の範囲】
【請求項１】
第１の無線通信方式及び前記第１の無線通信方式と異なる第２の無線通信方式に対応する基地局と、前記基地局と通信回線を介して接続され、前記第１の無線通信方式に対応する無線ネットワーク制御装置とを有する無線通信システムであって、
前記無線ネットワーク制御装置は、前記第１の無線通信方式に従って前記基地局と無線接続される移動局について、前記第２の無線通信方式に従って前記基地局と無線接続するようハンドオーバが発生したときに、前記移動局へ送信される第１のデータを前記通信回線を介して前記基地局へ送信し、
前記基地局は、前記第１のデータを前記第２の無線通信方式に従って前記移動局へ送信する、
無線通信システム。
【請求項２】
前記無線ネットワーク制御装置は、前記第１の無線通信方式に従って前記基地局と無線接続される前記移動局について、前記第２の無線通信方式に従って前記基地局と無線接続するようハンドオーバが発生したときに、前記第１のデータに当該ハンドオーバが前記基地局内でのハンドオーバであることを表す識別情報を付加する、請求項１に記載の無線通信システム。
【請求項３】
前記基地局は、前記第１の無線通信方式に従って前記移動局と無線通信する第１無線機能部と、前記第２の無線通信方式に従って前記移動局と無線通信する第２無線機能部とを有し、
前記第１無線機能部は、前記無線ネットワーク制御装置から前記通信回線を介して受信した前記第１のデータに前記識別情報が付加されている場合、前記第１のデータを前記第２無線機能部へわたす、請求項２に記載の無線通信システム。
【請求項４】
前記基地局は、前記第２の無線通信方式に従って前記基地局と無線接続される移動局について、前記第１の無線通信方式に従って前記基地局と無線接続するようハンドオーバが発生したときに、前記移動局へ送信される第２のデータを前記通信回線を介して前記無線ネットワーク制御装置へ送信し、
前記無線ネットワーク制御装置は、前記第２のデータが前記移動局へ送信されることを確認するとともに前記第２のデータを前記基地局へ送信し、
前記基地局は、前記無線ネットワーク制御装置から受信した前記第２のデータを前記第１の無線通信方式に従って前記移動局へ送信する、請求項１に記載の無線通信システム。
【請求項５】
前記基地局は、前記第２の無線通信方式に従って前記基地局と無線接続される前記移動局について、前記第１の無線通信方式に従って前記基地局と無線接続するようハンドオーバが発生したときに、前記第２のデータに当該ハンドオーバが前記基地局内でのハンドオーバであることを表す識別情報を付加し、
前記無線ネットワーク制御装置は、前記基地局から受信した前記第２のデータに前記識別情報が付加されている場合、前記第２のデータが前記移動局へ送信されることを確認し、かつ、前記第２のデータから前記識別情報を除いてから前記基地局へ送信する、請求項４に記載の無線通信システム。
【請求項６】
第１の無線通信方式及び前記第１の無線通信方式と異なる第２の無線通信方式に対応する基地局と、前記基地局と通信回線を介して接続され、前記第１の無線通信方式に対応する無線ネットワーク制御装置とを有する無線通信システムにおけるハンドオーバ実行方法であって、
前記第１の無線通信方式に従って前記基地局と無線接続される移動局について、前記第２の無線通信方式に従って前記基地局と無線接続するようハンドオーバが発生したときに、前記移動局へ送信される第１のデータを、前記無線ネットワーク制御装置から前記通信回線を介して前記基地局へ送信し、
前記基地局により、前記第１のデータを前記第２の無線通信方式に従って前記移動局へ送信する、
ことを含むハンドオーバ実行方法。
【請求項７】
前記第２の無線通信方式に従って前記基地局と無線接続される移動局について、前記第１の無線通信方式に従って前記基地局と無線接続するようハンドオーバが発生したときに、前記移動局へ送信される第２のデータを、前記基地局から前記通信回線を介して前記無線ネットワーク制御装置へ送信し、
前記無線ネットワーク制御装置により、前記第２のデータが前記移動局へ送信されることを確認するとともに前記第２のデータを前記基地局へ送信し、
前記基地局により、前記無線ネットワーク制御装置から受信した前記第２のデータを前記第１の無線通信方式に従って前記移動局へ送信する、
ことをさらに含む、請求項６に記載のハンドオーバ実行方法。
【請求項８】
第１の無線通信方式に従って移動局と無線通信する第１無線機能部と、前記第１の無線通信方式と異なる第２の無線通信方式に従って移動局と無線通信する第２無線機能部とを有する基地局であって、
前記第２無線機能部は、前記第２の無線通信方式に従って前記基地局と無線接続される移動局について、前記第１の無線通信方式に従って前記基地局と無線接続するようハンドオーバが発生したときに、前記移動局へ送信されるデータに当該ハンドオーバが前記基地局内でのハンドオーバであることを表す識別情報を付加し、
前記第１無線機能部は、前記識別情報が付加された前記データを、前記基地局と前記第１の無線通信方式に対応する無線ネットワーク制御装置とを接続する通信回線を介して前記無線ネットワーク制御装置へ送信する、
基地局。
【発明の詳細な説明】
【技術分野】
【０００１】
本発明は、例えば、複数の無線通信方式に対応する無線通信システム、及び、そのような無線通信システムで利用される基地局及びハンドオーバ実行方法に関する。
【背景技術】
【０００２】
無線通信技術の発展に伴い、複数の無線通信規格が策定されてきた。そのため、互いに異なる無線通信規格に準拠する複数の機器が、無線通信システムにおいて混在することがある。このような場合、互いに異なる無線通信技術(Radio Access Technology, RAT)を採用する基地局間で移動局のハンドオーバが生じることがある。
【０００３】
例えば、第３世代パートナーシッププロジェクト(Third Generation Partnership Project、3GPP)は、いわゆる3G方式に準拠する基地局と、Long Term Evolution(LTE)に準拠する基地局との間で生じるハンドオーバについて規定している。このような、互いに異なるRATを採用した基地局間で生じるハンドオーバ(以下、Inter-RAT H.O.とも呼ぶ)が生じた場合、基地局から移動局へ送信されている途中のハンドオーバデータは、ハンドオーバ元の基地局から、ハンドオーバ先の基地局へ転送される。そしてハンドオーバデータは、ハンドオーバ先の基地局から移動局へ送信される。なお、ハンドオーバデータとは、基地局と移動局との間で、無線リンク制御(Radio Link Control, RLC)層にて送達確認がなされていない、移動局への送信途中のデータを表す。
【０００４】
例えば、3G方式では、無線ネットワーク制御装置(Radio Network Controller, RNC、基地局制御装置または無線制御装置とも呼ばれる)が、RLC層の処理を実行して、ハンドオーバデータの送達確認を行っている。一方、LTE方式では、基地局(eNodeB, eNB)がRLC層の処理を実行している。そのため、3G方式に準拠する基地局からLTE方式に準拠するeNBへのハンドオーバが生じた場合、ハンドオーバデータは、RNCから、xGSN及びS-GWといった上位ノードを介してeNBへ転送される。逆に、eNBから3G方式に準拠する基地局へのハンドオーバが生じた場合も、ハンドオーバデータは、eNBから複数の上位ノードを介してRNCへ転送される。このように、何れの場合も、ハンドオーバデータは、複数の上位ノードを経由して転送される。
【０００５】
また、互いに異なるRATに準拠する複数の基地局間でアンテナを共有する技術が提案されている（例えば、特許文献１を参照）。さらに、複数のRATによって移動局と接続可能な基地局が提案されている（例えば、特許文献２を参照）。
【先行技術文献】
【特許文献】
【０００６】
【特許文献１】特開２０１２−１０２７３号公報
【特許文献２】国際公開第２０１３／０２４５５９号
【発明の概要】
【発明が解決しようとする課題】
【０００７】
上記のように、RLC層の処理がRNCで実行される場合、Inter-RAT H.O.におけるハンドオーバデータは、RNCと基地局間で転送される間に複数の上位ノードを経由する。そのため、Inter-RAT H.O.が複数生じた場合、あるいは、ハンドオーバデータのデータ量によっては、ハンドオーバデータの転送負荷により、ハンドオーバデータ以外のデータ伝送のスループットが低下することがある。また、上位ノードが負荷状態にある場合、ハンドオーバデータの転送の際の遅延により、ハンドオーバデータ以外のデータ伝送のスループットが低下することがある。
【０００８】
この問題は、特許文献１に記載のように、互いに異なるRATに準拠する複数の基地局間でアンテナが共有される場合、あるいは、特許文献２に記載のように、複数のRATによって移動局と接続可能な基地局が用いられる場合でも、同様に生じる。これは、例え基地局自体が複数のRATに対応していても、ハンドオーバデータが転送されたか否かを確認するために、ハンドオーバデータが、RLC層の処理が実行されるRNCを経由することが求められるためである。
【０００９】
一つの側面では、本発明は、複数の無線通信方式に対応する基地局内でのハンドオーバ発生時における基地局と上位ノード間の回線負荷を軽減することが可能な無線通信システムを提供することを目的とする。
【課題を解決するための手段】
【００１０】
一つの実施形態によれば、無線通信システムが提供される。この無線通信システムは、第１の無線通信方式及び第１の無線通信方式と異なる第２の無線通信方式に対応する基地局と、基地局と通信回線を介して接続され、第１の無線通信方式に対応する無線ネットワーク制御装置とを有する。そして無線ネットワーク制御装置は、第１の無線通信方式に従って基地局と無線接続される移動局について、第２の無線通信方式に従って基地局と無線接続するようハンドオーバが発生したときに、移動局へ送信される第１のデータを通信回線を介して基地局へ送信し、基地局は、受信した第１のデータを第２の無線通信方式に従って移動局へ送信する。
【００１１】
他の実施形態によれば、第１の無線通信方式及び第１の無線通信方式と異なる第２の無線通信方式に対応する基地局と、基地局と通信回線を介して接続され、第１の無線通信方式に対応する無線ネットワーク制御装置とを有する無線通信システムにおけるハンドオーバ実行方法が提供される。このハンドオーバ実行方法は、第１の無線通信方式に従って基地局と無線接続される移動局について、第２の無線通信方式に従って基地局と無線接続するようハンドオーバが発生したときに、移動局へ送信される第１のデータを、無線ネットワーク制御装置から通信回線を介して基地局へ送信し、基地局により、第１のデータを第２の無線通信方式に従って移動局へ送信することを含む。
【００１２】
さらに他の実施形態によれば、基地局が提供される。この基地局は、第１の無線通信方式に従って移動局と無線通信する第１無線機能部と、第１の無線通信方式と異なる第２の無線通信方式に従って移動局と無線通信する第２無線機能部とを有する。そして第２無線機能部は、第２の無線通信方式に従って基地局と無線接続される移動局について、第１の無線通信方式に従って基地局と無線接続するようハンドオーバが発生したときに、その移動局へ送信されるデータに発生したハンドオーバが基地局内でのハンドオーバであることを表す識別情報を付加し、第１無線機能部は、その識別情報が付加されたデータを、基地局と第１の無線通信方式に対応する無線ネットワーク制御装置とを接続する通信回線を介して無線ネットワーク制御装置へ送信する。
【発明の効果】
【００１３】
複数の無線通信方式に対応する基地局内でのハンドオーバ発生時における基地局と上位ノード間の回線負荷を軽減することができる。
【図面の簡単な説明】
【００１４】
【図１】一つの実施形態による無線通信システムの概略構成図である。
【図２】3G方式からLTE方式へのInter-RAT H.O.の実行時における、ハンドオーバデータの伝送手順を表すシーケンス図である。
【図３】LTE方式から3G方式へのInter-RAT H.O.の実行時における、ハンドオーバデータの伝送手順を表すシーケンス図である。
【図４】本実施形態によるハンドオーバデータの伝送経路と、共用基地局を利用する従来技術によるハンドオーバデータの伝送経路との比較図である。
【図５】共用基地局の概略構成図である。
【図６】共用基地局の制御部の機能ブロック図である。
【図７】無線ネットワーク制御装置の概略構成図である。
【図８】無線ネットワーク制御装置の制御部の機能ブロック図である。
【図９】Inter-RAT H.O.における、ハンドオーバデータのプロトコルスタックの遷移の一例を示す図である。
【発明を実施するための形態】
【００１５】
以下、図を参照しつつ、一つの実施形態による無線通信システムについて説明する。
この無線通信システムが有する基地局は、互いに異なる複数のRATに準拠する（そのため、以下では、この基地局を共用基地局と呼ぶ）。複数のRATのうちの一方では、RLC層の処理がRNCで実行され、複数のRATのうちの他方では、RLC層の処理は共用基地局内で実行される。そしてInter-RAT H.O.が生じた場合、共用基地局とRNCとを結ぶ回線を通じてハンドオーバデータが転送されることで、ハンドオーバデータが上位ノードを経由することを回避して、スループットの向上を図る。
【００１６】
特に、RNCを利用する方のRATからRNCを利用しない方のRATへのInter-RAT H.O.が生じた場合、RNCは、ハンドオーバデータを、上位ノードを介さずに、共用基地局とRNCとを結ぶ回線を通じて共用基地局へ直接送信する。そしてハンドオーバデータは、共用基地局内で、RNCを利用する方のRATに関する機能部から、RNCを利用しない方のRATに関する機能部へ転送される。一方、RNCを利用しない方のRATからRNCを利用する方のRATへのInter-RAT H.O.が生じた場合、ハンドオーバデータは、共用基地局内で、RNCを利用しない方のRATに関する機能部から、RNCを利用する方のRATに関する機能部へ転送される。その後、ハンドオーバデータは、上位ノードを介さずに、共用基地局とRNCとを結ぶ回線を通じてRNCへ直接転送される。また、RNCと共用基地局間を伝送される他のデータとハンドオーバデータとを区別するために、それらのデータの伝送の際のパケットに付されるUDP Port番号のうちの特定の番号が、共用基地局内のInter-RAT H.O.のハンドオーバデータ用に割り当てられる。
【００１７】
本実施形態では、共用基地局が準拠する複数のRATのうち、RNCを利用しない方のRATは、例えば、LTEまたはLTE-Advancedとすることができる。また、複数のRATのうち、RNCを利用する方のRATは、例えば、CDMA2000、あるいは、HSDPAといった、いわゆる3G方式とすることができる。しかし、本実施形態による無線通信システム及び共用基地局は、RNCを利用しない他のRATと、RNCを利用する他のRATとに準拠していてもよい。
【００１８】
図１は、一つの実施形態による無線通信システムの概略構成図である。無線通信システム１は、共用基地局２と、無線ネットワーク制御装置(RNC)３と、移動局４とを有する。図１では、例示として、無線通信システム１には、１台の共用基地局が含まれる。しかし、無線通信システム１に含まれる共用基地局の数は１台に限られず、複数であってもよい。同様に、無線通信システム１に含まれるRNC及び移動局も、それぞれ、１台に限られず、複数であってもよい。
【００１９】
共用基地局２は、複数のRATに準拠し、その複数のRATの何れかを使用して移動局４とコアネットワーク間の通信を中継する。そのために、共用基地局２は、第１無線機能部と、第２無線機能部とを有する。第１無線機能部は、例えば、3G方式といった、RLC層の処理がRNC３にて実行されるRATに準拠する。一方、第２無線機能部は、例えば、LTE方式といった、基地局内でRLC層の処理を実行するRATに準拠する。以下では、第１無線機能部が準拠するRATを単に3G方式と呼び、一方、第２無線機能部が準拠するRATを単にLTE方式と呼ぶ。なお、第１無線機能部及び第２無線機能部の詳細については後述する。
【００２０】
また、共用基地局２は、RNC３と、局間回線(Iub回線)５を介して接続される。そして例えば、3G方式に基づいて共用基地局２と移動局４とが無線接続されている間、移動局４とコアネットワーク間で伝送される信号は、3G方式の上位ノードからRNC３を介して共用基地局２へ伝送される。あるいは、その信号は、共用基地局２からRNC３を介して3G方式の上位ノードへ伝送される。そして3G方式に基づいて共用基地局２と移動局４とが無線接続されている間、第１無線機能部が、移動局４への信号の送信、あるいは、移動局４からの信号の受信に関する処理を実行する。
【００２１】
さらに、共用基地局２は、例えば、サービングゲートウェイ(Serving-Gateway, S-GW)あるいはモビリティ マネジメントエンティティ(Mobility Management Entity, MME)といったLTE方式の上位ノード（図示せず）と接続されている。例えば、共用基地局２は、S1-Uインターフェースに従ってS-GWと接続され、S4インターフェースに従ってMMEと接続される。また共用基地局２は、例えば、X2インターフェースに従って他の基地局と接続されていてもよい。そして、例えば、LTE方式に基づいて共用基地局２と移動局４とが無線接続されている間、移動局４とコアネットワーク間で伝送される信号は、LTE方式の上位ノードから共用基地局２へ、あるいは、共用基地局２からLTE方式の上位ノードへ伝送される。そしてLTE方式に基づいて共用基地局２と移動局４とが無線接続されている間、第２無線機能部が、移動局４への信号の送信、あるいは、移動局４からの信号の受信に関する処理を実行する。
【００２２】
また共用基地局２は、１以上のセルを設定する。そしてセル内に移動局４が在圏している場合に、共用基地局２は移動局４と無線接続することができる。なお、共用基地局２は、LTE方式が適用されるセルの地理的範囲と、3G方式が適用されるセルの地理的範囲とが少なくとも部分的に異なるように各セルを設定してもよい。あるいは、共用基地局２は、LTE方式が適用されるセルの地理的範囲と、3G方式が適用されるセルの地理的範囲とが完全に一致するように各セルを設定してもよい。
【００２３】
RNC３は、例えば、3G方式を用いて移動局４と共用基地局２とが無線通信する場合において、RLC層の処理を実行する。そのために、RNC３は、Iub回線５を介して共用基地局２と接続される。またRNC３は、Iu回線を介してxGSN（図示せず）といった、3G方式の上位ノードと接続される。そしてRNC３は、コアネットワークから移動局４へ伝送される信号を3G方式の上位ノードを介して受信して、共用基地局２へ転送する。またRNC3は、移動局４からコアネットワークへ伝送される信号を、共用基地局２から受信して、3G方式の上位ノードへ転送する。
【００２４】
さらに、RNC３は、共用基地局２内でのInter-RAT H.O.が生じた場合、ハンドオーバデータを共用機基地局２から受信して、RLC層の処理を実行するとともに、共用基地局２へ返送する。なお、Inter-RAT H.O.が生じた場合における、RNC３の処理の詳細については後述する。
【００２５】
移動局４は、共用基地局２と同様に、複数のRATに準拠する移動局であり、共用基地局２が設定するセルの何れかに在圏している場合に、複数のRATの何れかに基づいて共用基地局２と無線通信可能となる。
【００２６】
また、移動局４が、一方のRATに基づくセルから他方のRATに基づくセルへ移動した場合、あるいは、移動局４が無線接続中のRATで使用する無線周波数において干渉が生じた場合などにおいて、Inter-RAT H.O.が生じ得る。そして移動局４が無線接続中のRATよりも、他方のRATの方が無線接続条件が良くなる場合などに、共用基地局２、RNC３及び移動局４は、Inter-RAT H.O.を実行する。
【００２７】
図２は、3G方式からLTE方式へのInter-RAT H.O.の実行時における、ハンドオーバデータの伝送手順を表すシーケンス図である。
【００２８】
RNC３は、xGSNといった、3G方式の上位ノードから共用基地局２におけるInter-RAT H.O.を実行する指示を受けると、Inter-RAT H.O.用のUDP Port番号をハンドオーバデータを含むパケットに割り当てる（ステップＳ１０１）。例えば、UDP Port番号のうち、'FFFF'が、共用基地局２内のInter-RAT H.O.のハンドオーバデータに割り当てられる。すなわち、そのPort番号は、共用基地局２内のInter-RAT H.O.のハンドオーバデータを示す識別情報の一例である。その他の番号'0000'〜'FFFE'は、共用基地局２内のInter-RAT H.O.以外のデータに割り当てられる。そしてRNC３は、そのハンドオーバデータを含むパケットを、Iub回線５を介して共用基地局２へ送信する。
【００２９】
共用基地局２の第１無線機能部は、RNC３からハンドオーバデータを含むパケットを受信すると、UDP Port番号を参照する。そして第１無線機能部は、UDP Port番号がInter-RAT H.O.のハンドオーバデータであることを示している場合、そのハンドオーバデータを含むパケットを第２無線機能部へ転送する（ステップＳ１０２）。
【００３０】
第２無線機能部は、ハンドオーバデータを含むダウンリンク信号を、LTE方式にて生成する（ステップＳ１０３）。そして第２無線機能部は、そのダウンリンク信号を移動局４へ送信する。そして無線通信システム１は、共用基地局２内でのInter-RAT H.O.を完了する。
【００３１】
図３は、LTE方式から3G方式へのInter-RAT H.O.の実行時における、ハンドオーバデータの伝送手順を表すシーケンス図である。
【００３２】
共用基地局２の第２無線機能部は、S-GWといった、LTE方式の上位ノードから、自局におけるInter-RAT H.O.を実行する指示を受けると、共用基地局２内のInter-RAT H.O.用のUDP Port番号をハンドオーバデータを含むパケットに割り当てる（ステップＳ２０１）。そして第２無線機能部は、そのパケットを第１無線機能部へ転送する。
【００３３】
共用基地局２の第１無線機能部は、第２無線機能部からハンドオーバデータを含むパケット受信すると、そのパケットを、Iub回線５を介してRNC３へ転送する（ステップＳ２０２）。
【００３４】
RNC３は、Iub回線５を介してハンドオーバデータを含むパケットを受信すると、そのパケットに割り当てられたUDP Port番号を参照する。そしてRNC３は、UDP Port番号が共用基地局２内のInter-RAT H.O.のハンドオーバデータであることを示している場合、そのハンドオーバデータが移動局４へ送信されることを確認する。そしてRNC３は、そのハンドオーバデータに割り当てるUDP Port番号を、Inter-RAT H.O.の番号から他の番号に変更した後、そのハンドオーバデータを含むパケットを、Iub回線５を介して共用基地局２へ戻す（ステップＳ２０３）。
【００３５】
第１無線機能部は、RNC３からハンドオーバデータを含むパケットを受信すると、ハンドオーバデータを含むダウンリンク信号を、3G方式にて生成する（ステップＳ２０４）。そして第１無線機能部は、そのダウンリンク信号を移動局４へ送信する。そして無線通信システム１は、共用基地局２内でのInter-RAT H.O.を完了する。
【００３６】
図４は、本実施形態によるハンドオーバデータの伝送経路と、共用基地局を利用する従来技術によるハンドオーバデータの伝送経路との比較図である。
【００３７】
図４において、矢印４０１は、従来技術による、共用基地局２内での3G方式からLTE方式へのInter-RAT H.O.が発生したときのハンドオーバデータの伝送経路を表す。矢印４０１に示されるように、ハンドオーバデータは、RNC３から、3G方式の上位ノードであるxGSNと、LTE方式の上位ノードであるS-GWを経由して、共用基地局２へ転送される。また、矢印４０２は、従来技術による、共用基地局２内でのLTE方式から3G方式へのInter-RAT H.O.が発生したときのハンドオーバデータの伝送経路を表す。矢印４０２に示されるように、ハンドオーバデータは、共用基地局２から、S-GW及びxGSNを経由して、RNC３へ転送される。その後、ハンドオーバデータは、RNC３から、Iub回線５を介して共用基地局２へ転送される。このように、従来技術では、3G方式からLTE方式、及び、LTE方式から3G方式の何れの場合についても、ハンドオーバデータは複数の上位ノードを介して転送される。
【００３８】
これに対して、矢印４１１は、本実施形態による、共用基地局２内での3G方式からLTE方式へのInter-RAT H.O.が発生したときのハンドオーバデータの伝送経路を表す。矢印４１１に示されるように、ハンドオーバデータは、RNC３から、Iub回線５を介して共用基地局２へ直接転送される。また、矢印４１２は、本実施形態による、LTE方式から3G方式へのInter-RAT H.O.が発生したときのハンドオーバデータの伝送経路を表す。矢印４１２に示されるように、ハンドオーバデータは、共用基地局２からIub回線５を介してRNC３へ直接転送された後、RNC３からIub回線５を介して共用基地局２へ直接戻される。
【００３９】
このように、本実施形態では、共用基地局２内でInter-RAT H.O.が発生したときのハンドオーバデータがIub回線５を介して共用基地局２とRNC３間で直接伝送され、上位ノードを経由しない。そのため、本実施形態では、従来技術と比較して、ハンドオーバデータの伝送によるスループットの低下が抑制される。
【００４０】
以下、本実施形態による無線通信システムに含まれる共用基地局２及びRNC３の詳細について説明する。
図５は、共用基地局２の概略構成図である。
【００４１】
共用基地局２は、アンテナ２０と、二つの無線処理部２１−１、２１−２と、二つの有線インターフェース部２２−１、２２−２と、記憶部２３と、制御部２４とを有する。無線処理部２１−１、２１−２、有線インターフェース部２２−１、２２−２、記憶部２３及び制御部２４は、それぞれ別個の回路として形成される。あるいはこれらの各部は、その各部に対応する回路が集積された一つまたは複数の集積回路として共用基地局２に実装されてもよい。
【００４２】
アンテナ２０は、共用基地局２が3G方式にて移動局４と無線接続されている場合、無線処理部２１−１を介して伝達されたダウンリンク信号を無線信号として送信する。またアンテナ２０は、移動局４からの無線信号を受信して電気信号に変換してアップリンク信号とし、アップリンク信号を無線処理部２１−１に伝達する。一方、共用基地局２がLTE方式にて移動局４と無線接続されている場合、アンテナ２０は、無線処理部２１−２を介して伝達されたダウンリンク信号を無線信号として送信する。またアンテナ２０は、移動局４からの無線信号を受信して電気信号に変換してアップリンク信号とし、アップリンク信号を無線処理部２１−２に伝達する。なお、アンテナ２０は、3G方式用のアンテナと、LTE方式用のアンテナとを別個に有していてもよい。さらに、アンテナ２０は、3G方式とLTE方式のうちの少なくとも一方について、送信用のアンテナと受信用のアンテナとを別個に有していてもよい。
【００４３】
無線処理部２１−１は、共用基地局２が3G方式にて移動局４と無線接続されている場合、制御部２４から受け取ったダウンリンク信号をアナログ化した後、制御部２４により指定された無線周波数を持つ搬送波に重畳する。そして無線処理部２１−１は、搬送波に重畳されたダウンリンク信号をハイパワーアンプ（図示せず）により所望のレベルに増幅し、そのダウンリンク信号をアンテナ２０へ伝達する。
【００４４】
また無線処理部２１−１は、共用基地局２が3G方式にて移動局４と無線接続されている場合、アンテナ２０から受け取ったアップリンク信号を、低ノイズアンプ（図示せず）により増幅する。無線処理部２１−１は、増幅されたアップリンク信号に、中間周波数を持つ周期信号を乗じることにより、そのアップリンク信号の周波数を無線周波数からベースバンド周波数に変換する。そして無線処理部２１−１は、ベースバンド周波数を持つアップリンク信号をアナログ／デジタル変換した後、制御部２４へ渡す。
【００４５】
無線処理部２１−２は、共用基地局２がLTE方式にて移動局４と無線接続されている場合、制御部２４から受け取ったダウンリンク信号をアナログ化した後、制御部２４により指定された無線周波数を持つ搬送波に重畳する。そして無線処理部２１−２は、搬送波に重畳されたダウンリンク信号をハイパワーアンプ（図示せず）により所望のレベルに増幅し、そのダウンリンク信号をアンテナ２０へ伝達する。
【００４６】
また無線処理部２１−２は、共用基地局２がLTE方式にて移動局４と無線接続されている場合、アンテナ２０から受け取ったアップリンク信号を、低ノイズアンプ（図示せず）により増幅する。無線処理部２１−２は、増幅されたアップリンク信号に、中間周波数を持つ周期信号を乗じることにより、そのアップリンク信号の周波数を無線周波数からベースバンド周波数に変換する。そして無線処理部２１−２は、ベースバンド周波数を持つアップリンク信号をアナログ／デジタル変換した後、制御部２４へ渡す。
【００４７】
有線インターフェース部２２−１は、共用基地局２を、Iub回線５と接続するための通信インターフェース回路を有する。そして有線インターフェース部２２−１は、Iub回線５を介してRNC３から受信した信号を制御部２４へわたす。
【００４８】
一方、有線インターフェース部２２−１は、制御部２４から受け取ったアップリンク信号またはハンドオーバデータをIub回線５を介してRNC３へ出力する。
【００４９】
有線インターフェース部２２−２は、共用基地局２を、LTE方式の上位ノード及び他の基地局と接続するための通信インターフェース回路を有する。そして有線インターフェース部２２−２は、上位ノードまたは他の基地局から受信した信号を制御部２４に渡す。
【００５０】
一方、有線インターフェース部２２−２は、制御部２４から受け取った信号をLTE方式の上位ノードまたは他の基地局へ出力する。
【００５１】
記憶部２３は、例えば、書き換え可能な不揮発性半導体メモリまたは揮発性半導体メモリを有する。そして記憶部２３は、共用基地局２の局情報、基地局構成テーブル、移動局４と無線通信するための各種の情報、及び、共用基地局２で動作する各種のプログラムなどを記憶する。例えば、記憶部２３は、Inter-RAT H.O.用に割り当てられるUDP Port番号などを記憶する。
【００５２】
制御部２４は、例えば、１個あるいは複数個のプロセッサ及びその周辺回路を有する。そして制御部２４は、共用基地局２全体を制御する。
【００５３】
図６は、制御部２４の機能ブロック図である。制御部２４は、3G方式に準拠する第１無線機能部２５と、LTE方式に準拠する第２無線機能部２６とを有する。さらに、第１無線機能部２５は、転送判定部２５１と、終端部２５２と、ベースバンド処理部２５３とを有する。また、第２無線機能部２６は、呼制御部２６１と、通信処理部２６２と、インターフェース処理部２６３と、ベースバンド処理部２６４とを有する。
【００５４】
第１無線機能部２５の転送判定部２５１は、RNC３からIub回線５及び有線インターフェース部２２−１を介して受信したパケット化された信号に付されたUDP Port番号を参照して、その信号がInter-RAT H.O.のハンドオーバデータを含むか否か判定する。すなわち、UDP Port番号がInter-RAT H.O.用の番号であれば、転送判定部２５１は、その信号がInter-RAT H.O.のハンドオーバデータを含むと判定する。そして転送判定部２５１は、Inter-RAT H.O.のハンドオーバデータを、第２無線機能部２６のインターフェース処理部２６３へ転送する。一方、UDP Port番号がInter-RAT H.O.用の番号でなければ、転送判定部２５１は、その信号はInter-RAT H.O.のハンドオーバデータを含まないと判定する。そして転送判定部２５１は、その信号を第１無線機能部２５の終端部２５２へ転送する。
【００５５】
また、転送判定部２５１は、終端部２５２から受け取ったアップリンクの信号を含むパケットを、有線インターフェース部２２−１及びIub回線５を介してRNC3へ転送する。さらに、転送判定部２５１は、インターフェース処理部２６３から受け取ったInter-RAT H.O.のハンドオーバデータを含むパケットを、有線インターフェース部２２−１及びIub回線５を介してRNC3へ転送する。
【００５６】
第１無線機能部２５の終端部２５２は、RNC３からIub回線５及び有線インターフェース部２２−１を介して受信したパケット化された信号をIub回線５用のインターフェースに従って解析する。そして終端部２５２は、その信号に含まれる、移動局４へ送信されるダウンリンクのデータなどを抽出して、第１無線機能部２５のベースバンド処理部２５３へわたす。
一方、終端部２５２は、ベースバンド処理部２５３から受け取ったアップリンク信号をIub回線５のインターフェースに従ってパケット化した上でその信号を転送判定部２５１へわたす。
【００５７】
第１無線機能部２５のベースバンド処理部２５３は、ダウンリンク信号を、3G方式で採用される変調及び多重化方式に従って変調し、かつ多重化する。そしてベースバンド処理部２５３は、変調及び多重化されたダウンリンク信号を無線処理部２１−１へ渡す。
【００５８】
一方、ベースバンド処理部２５３は、無線処理部２１−１から受け取ったアップリンク信号を、3G方式で採用される変調及び多重化方式に従って分離し、分離した受信信号をそれぞれ復調する。そしてベースバンド処理部２５３は、復調されたアップリンク信号を終端部２５２へ出力する。さらにベースバンド処理部２５３は、復調されたアップリンク信号から、共用基地局２が移動局４と無線通信するために共用基地局２が参照する各種の信号を取り出す。
【００５９】
第２無線機能部２６の呼制御部２６１は、LTE方式に従って呼制御を実行する。また、呼制御部２６１は、S-GWといった上位ノードから、ハンドオーバの実行指示を受けると、記憶部２３に保存されている基地局構成テーブルを参照する。なお、基地局構成テーブルは、共用基地局２及び共用基地局２の周囲の他の基地局の識別情報を含む。そして呼制御部２６１は、ハンドオーバの実行対象となる移動局４について、ターゲットの基地局が共用基地局２自身の3G方式に相当する部分か否かを判定する。ターゲットの基地局が共用基地局２自身の3G方式に相当する部分であれば、そのハンドオーバは共用基地局２内のInter-RAT H.O.であると判定する。そして呼制御部２６１は、共用基地局２内のInter-RAT H.O.の対象となる移動局４の識別番号とともに、共用基地局２内のInter-RAT H.O.を実行することを第２無線機能部２６の通信処理部２６２へ通知する。
【００６０】
第２無線機能部２６の通信処理部２６２は、RLC層の処理、すなわち、無線リンク制御を実行する。さらに、通信処理部２６２は、無線リソース制御（Radio Resource Control、RRC）、無線リソース管理（Radio Resource Management、RRM）、及び、メディアアクセス制御（Media Access Control、MAC）などを実行する。そして通信処理部２６２は、呼制御部２６１から共用基地局２内のInter-RAT H.O.を実行することを通知されると、対象となるハンドオーバデータを含むパケットを生成し、そのパケットのUDP Port番号に、Inter-RAT H.O.であることを表す値を割り当てる。そして通信処理部２６２は、そのハンドオーバデータを含むパケットを、第２無線機能部２６のインターフェース処理部２６３へわたす。
【００６１】
また、通信処理部２６２は、インターフェース処理部２６３から受け取った、移動局４へのダウンリンク信号をベースバンド処理部２６４へわたす。さらに、通信処理部２６２は、ベースバンド処理部２６４から受け取ったアップリンク信号、あるいは、他の基地局へのハンドオーバデータを含むパケットを生成し、そのパケットのUDP Port番号に、Inter-RAT H.O.であることを表す値以外の値を割り当てる。そして通信処理部２６２は、そのハンドオーバデータを含むパケットを、第２無線機能部２６のインターフェース処理部２６３へわたす。
【００６２】
第２無線機能部２６のインターフェース処理部２６３は、通信処理部２６２から受け取ったパケットのUDP Port番号を参照し、そのパケットの転送先を判定する。パケットのUDP Port番号がInter-RAT H.O.であることを表す値であれば、インターフェース処理部２６３は、そのパケットを第１無線機能部２５の転送判定部２５１へわたす。
【００６３】
一方、パケットのUDP Port番号がInter-RAT H.O.であることを表す値でなければ、インターフェース処理部２６３は、そのパケットを有線インターフェース部２２−２へわたす。
【００６４】
また、インターフェース処理部２６３は、上位ノードから有線インターフェース部２２−２を介して受信した信号を、S1インターフェースに従って解析し、その信号に含まれるダウンリンクの信号を抽出する。さらに、インターフェース処理部２６３は、他の基地局から有線インターフェース部２２−２を介して受信した信号を、X2インターフェースに従って解析し、その信号に含まれるハンドオーバデータなどを抽出する。そしてインターフェース処理部２６３は、抽出したダウンリンク信号及びハンドオーバデータなどを通信処理部２６２へわたす。
【００６５】
第２無線機能部２６のベースバンド処理部２６４は、ダウンリンク信号を、LTE方式で採用される変調及び多重化方式に従って変調し、かつ多重化する。そしてベースバンド処理部２６４は、変調及び多重化されたダウンリンク信号を無線処理部２１−２へわたす。
【００６６】
一方、ベースバンド処理部２６４は、無線処理部２１−２から受け取ったアップリンク信号を、LTE方式で採用される変調及び多重化方式に従って分離し、分離したアップリンク信号をそれぞれ復調する。そしてベースバンド処理部２６４は、復調されたアップリンク信号を通信処理部２６２へわたす。
【００６７】
図７は、RNC３の概略構成図である。RNC３は、二つの有線インターフェース部３１−１、３１−２と、記憶部３２と、制御部３３とを有する。RNC３が有するこれらの各部は、それぞれ別個の回路として形成される。あるいはこれらの各部は、その各部に対応する回路が集積された一つまたは複数の集積回路としてRNC３に実装されてもよい。
【００６８】
有線インターフェース部３１−１は、RNC３を、xGSNといった3G方式の上位ノードと接続するため、すなわち、Iu回線と接続するための通信インターフェース回路を有する。そして有線インターフェース部３１−１は、上位ノードから受信した信号を制御部３３へわたす。
また有線インターフェース部３１−１は、制御部３３から受け取った信号をIu回線を介して上位ノードへ送信する。
【００６９】
有線インターフェース部３１−２は、RNC３をIub回線５と接続するための通信インターフェース回路を有する。そして有線インターフェース部３１−２は、共用基地局２から受け取った、アップリンク信号あるいはハンドオーバデータなどを制御部３３へわたす。また有線インターフェース部３１−２は、制御部３３から受け取った、ダウンリンク信号及びハンドオーバデータを、Iub回線５を介して共用基地局２へ送信する。
【００７０】
記憶部３２は、例えば、書き換え可能な不揮発性半導体メモリまたは揮発性半導体メモリを有する。そして記憶部３２は、基地局構成テーブルといった、RNC３で利用される各種の情報、及び、RNC３で動作する各種のプログラムなどを記憶する。さらに、記憶部３２は、ハンドオーバデータ、ダウンリンクの信号及びアップリンクの信号などを一時的に記憶する。
【００７１】
制御部３３は、例えば、１個あるいは複数個のプロセッサ及びその周辺回路を有する。そして制御部３３は、RNC３全体を制御する。
【００７２】
図８は、制御部３３の機能ブロック図である。制御部３３は、呼制御部３３１と、通信処理部３３２と、Iuインターフェース処理部３３３と、Iubインターフェース処理部３３４とを有する。
【００７３】
呼制御部３３１は、3G方式に従って呼制御を実行する。また、呼制御部３３１は、xGSNといった上位ノードから、ハンドオーバの実行指示を受けると、記憶部３２に保存されている基地局構成テーブルを参照する。そして呼制御部３３１は、ハンドオーバの実行対象となる移動局４について、ソースの基地局及びターゲットの基地局が何れも同じ共用基地局２か否かを判定する。ソースの基地局が共用基地局２の3G方式に相当する部分であり、かつ、ターゲットの基地局が共用基地局２のLTE方式に相当する部分であれば、呼制御部３３１は、そのハンドオーバは共用基地局２内のInter-RAT H.O.であると判定する。そして呼制御部３３１は、Inter-RAT H.O.の対象となる移動局４の識別番号とともに、Inter-RAT H.O.を実行することを通信処理部３３２へ通知する。
【００７４】
通信処理部３３２は、アップリンクの信号及びダウンリンクの信号に対して、重複確認及び順序整列といった、RLC層の処理を実行する。そして通信処理部３３２は、呼制御部３３１からInter-RAT H.O.を実行することを通知されると、対象となるハンドオーバデータを含むパケットを生成し、そのパケットのUDP Port番号に、Inter-RAT H.O.であることを表す値を割り当てる。その際、通信処理部３３２は、生成するパケットを共用基地局２の第２無線機能部２６で扱われるパケットとする。そして通信処理部３３２は、そのハンドオーバデータを含むパケットを、Iubインターフェース処理部３３４へわたす。
【００７５】
また、通信処理部３３２は、Iubインターフェース処理部３３４から受け取ったパケットに付されたUDP Port番号を参照して、そのパケットに共用基地局２内のInter-RAT H.O.のハンドオーバデータが含まれているか否かを判定する。そして通信処理部３３２は、そのパケットに付されたUDP Port番号が、共用基地局２内のInter-RAT H.O.であることを表す値であれば、そのパケットに共用基地局２内のInter-RAT H.O.のハンドオーバデータが含まれていると判定する。そして通信処理部３３２は、そのハンドオーバデータに対するRLC層の処理を実行する。例えば、通信処理部３３２は、そのハンドオーバデータのシーケンス番号を参照して、ダウンリンク信号のうち、移動局４への送信が完了している部分を確認する。さらに、通信処理部３３２は、そのハンドオーバデータが移動局４へ送信されることを確認する。また通信処理部３３２は、そのパケットに割り当てられたUDP Port番号を、共用基地局２内のInter-RAT H.O.のハンドオーバデータを表す値以外の値に書き換えてから、そのパケットをIubインターフェース処理部３３４へ戻す。
【００７６】
さらに、通信処理部３３２は、Iubインターフェース処理部３３４から受け取ったパケットに付されたUDP Port番号がInter-RAT H.O.であることを表す値でなければ、そのパケットに含まれるアップリンク信号に対してRLC層の処理を実行する。そして通信処理部３３２は、そのアップリンク信号を含むパケットをIuインターフェース処理部３３３へわたす。
【００７７】
さらに、通信処理部３３２は、Iuインターフェース処理部３３３から受け取ったパケットに含まれる、ダウンリンク信号に対してRLC層の処理を実行する。そして通信処理部３３２は、そのパケットをIubインターフェース処理部３３４へわたす。
【００７８】
さらにまた、通信処理部３３２は、無線リソース制御、無線リソース管理、及び、メディアアクセス制御などの処理を実行する。
【００７９】
Iuインターフェース処理部３３３は、上位ノードからIu回線及び有線インターフェース部３１−１を介して受信したパケット化された信号を、Iuインターフェースに従って解析し、その信号に含まれるダウンリンク信号または制御信号などを抽出する。そしてIuインターフェース処理部３３３は、抽出したダウンリンク信号を通信処理部３３２へわたす。またIuインターフェース処理部３３３は、抽出したハンドオーバ指示などの制御信号を呼制御部３３１へわたす。
さらに、Iuインターフェース処理部３３３は、通信処理部３３２から受け取ったアップリンク信号を、Iuインターフェースに従ってパケット化して、有線インターフェース部３１−１へわたす。
【００８０】
Iubインターフェース処理部３３４は、共用基地局２からIub回線５及び有線インターフェース部３１−２を介して受信したパケット化された信号を、Iubインターフェースに従って解析する。そしてIubインターフェース処理部３３４は、その信号に含まれるアップリンク信号またはハンドオーバデータなどを抽出する。そしてIubインターフェース処理部３３４は、抽出したアップリンクの信号またはハンドオーバデータなどを通信処理部３３２へわたす。
さらに、Iubインターフェース処理部３３４は、通信処理部３３２から受け取ったダウンリンク信号あるいはハンドオーバデータを含むパケットを、Iubインターフェースに従ったパケットに変換して、有線インターフェース部３１−２へわたす。ただし、Iubインターフェース処理部３３４は、通信処理部３３２から受け取ったパケットに含まれるUDP Port番号が、共用基地局２内のInter-RAT H.O.のハンドオーバデータを含むことを示す場合には、そのパケットをそのままIub回線５へ出力する。
【００８１】
図９は、Inter-RAT H.O.における、ハンドオーバデータのプロトコルスタックの遷移の一例を示す図である。なお、各プロトコルスタックにおける個々のブロックは、それぞれ、そのブロック内に示されたプロトコルの層を表す。
【００８２】
RNC３では、移動局４へ送信されるダウンリンクのデータは、プロトコルスタック９０１に応じたパケットからプロトコルスタック９０２に応じたパケットに変換されてから共用基地局２へ送信される。一方、3G方式からLTE方式へのInter-RAT H.O.において、ハンドオーバデータは、矢印９１１に示されるように、プロトコルスタック９０１に応じたパケットが共用基地局２の第１無線機能部２５へ送られる。その際、そのパケットに含まれるデータがInter-RAT H.O.のハンドオーバデータである場合、UDP層に含まれる、UDP Port番号に、Inter-RAT H.O.のハンドオーバデータであることを表す値が割り当てられる。
【００８３】
第１無線機能部２５では、パケットに含まれるデータがInter-RAT H.O.のハンドオーバデータである場合、そのパケットは、矢印９１２に示されるように、共用基地局２の第２無線機能部２６にわたされる。その際、第１無線機能部２５は、IP層に示される、パケットの送信先を表す識別情報を参照することで、そのパケットの転送先が第２無線機能部２６か否かを判定できる。そして第２無線機能部２６は、そのパケットに含まれる、GTP-u層のユーザ識別情報を参照して、そのパケットに含まれるハンドオーバデータの送信先の移動局４を特定する。また、第２無線機能部２６により、そのパケットは、プロトコル９０３に応じたデータに変換されて移動局４へ送信される。
【００８４】
また、LTE方式から3G方式へのInter-RAT H.O.において、ハンドオーバデータを含む、プロトコルスタック９０１に応じたパケットには、第２無線機能部２６により、UDP層のUDP Port番号に、Inter-RAT H.O.であることを表す値が割り当てられる。そして矢印９２１に示されるように、そのパケットは、第１無線機能部２５へ渡される。
【００８５】
第１無線機能部２５は、そのパケットのUDP Port番号を参照して、パケットにInter-RAT H.O.のハンドオーバデータが含まれていると判定すると、矢印９２２のように、そのパケットをRNC３へ送信する。RNC３では、ハンドオーバデータに関するRLC層の処理が行われ、そのパケットは、プロトコルスタック９０２に応じたパケットに変換される。そして矢印９２３のように、プロトコルスタック９０２に応じたパケットが第１無線機能部２５へ送信される。
【００８６】
第１無線機能部２５は、プロトコルスタック９０２に応じた、ハンドオーバデータを含むパケットをプロトコルスタック９０３に応じたデータに変換する。そして第１無線機能部２５は、そのデータを、矢印９２４に示されるように、移動局４へ送信する。
【００８７】
以上に説明してきたように、この無線通信システムでは、共用基地局内のInter-RAT H.O.のハンドオーバデータは、共用基地局内の二つの無線機能部同士の間、及び、Iub回線を介して共用基地局とRNCとの間で伝送される。このように、この無線通信システムは、Inter-RAT H.O.のハンドオーバデータが複数の上位ノードを経由することを防止するので、ハンドオーバデータの転送による、基地局と上位ノード間の回線におけるスループットの低下を抑制できる。
【００８８】
なお、変形例によれば、RNC３と共用基地局２間をIub回線５を介して転送されるデータが、共用基地局２内のInter-RAT H.O.のハンドオーバデータか否かを識別するために、転送されるデータを含むパケットのIPヘッダのオプション領域が使用されてもよい。
【００８９】
この場合、例えば、IPヘッダのオプション領域内に識別用のビット列（例えば、4byteのビット列）が設定される。そしてInter-RAT H.O.のハンドオーバデータを含むパケットについては、識別用のビット列の値が、例えば、'0x12345678'に設定される。なお、この変形例においても、上記の実施形態と同様に、3G方式からLTE方式へのInter-RAT H.O.であれば、RNC３の制御部３３の通信処理部３３２が、IPヘッダのオプション領域内の識別用のビット列に、Inter-RAT H.O.用の値を割り当てる。また、LTE方式から3G方式へのInter-RAT H.O.であれば、共用基地局２の制御部２４における、第２無線機能部２６の通信処理部２６２が、IPヘッダのオプション領域内の識別用のビット列に、Inter-RAT H.O.用の値を割り当てる。そして共用基地局２の制御部２４における、第１無線機能部２５の転送判定部２５１は、パケットのIPヘッダのオプション領域内の識別用のビット列を参照して、そのパケットの転送先を判定すればよい。すなわち、転送判定部２５１は、Iub回線５を介してRNC３から受け取ったパケットのIPヘッダのオプション領域内の識別用のビット列がInter-RAT H.O.用の値を有していれば、そのパケットを第２無線機能部２６にわたせばよい。
【００９０】
ここに挙げられた全ての例及び特定の用語は、読者が、本発明及び当該技術の促進に対する本発明者により寄与された概念を理解することを助ける、教示的な目的において意図されたものであり、本発明の優位性及び劣等性を示すことに関する、本明細書の如何なる例の構成、そのような特定の挙げられた例及び条件に限定しないように解釈されるべきものである。本発明の実施形態は詳細に説明されているが、本発明の精神及び範囲から外れることなく、様々な変更、置換及び修正をこれに加えることが可能であることを理解されたい。
【００９１】
以上説明した実施形態及びその変形例に関し、更に以下の付記を開示する。
（付記１）
第１の無線通信方式及び前記第１の無線通信方式と異なる第２の無線通信方式に対応する基地局と、前記基地局と通信回線を介して接続され、前記第１の無線通信方式に対応する無線ネットワーク制御装置とを有する無線通信システムであって、
前記無線ネットワーク制御装置は、前記第１の無線通信方式に従って前記基地局と無線接続される移動局について、前記第２の無線通信方式に従って前記基地局と無線接続するようハンドオーバが発生したときに、前記移動局へ送信される第１のデータを前記通信回線を介して前記基地局へ送信し、
前記基地局は、前記第１のデータを前記第２の無線通信方式に従って前記移動局へ送信する、
無線通信システム。
（付記２）
前記無線ネットワーク制御装置は、前記第１の無線通信方式に従って前記基地局と無線接続される前記移動局について、前記第２の無線通信方式に従って前記基地局と無線接続するようハンドオーバが発生したときに、前記第１のデータに当該ハンドオーバが前記基地局内でのハンドオーバであることを表す識別情報を付加する、付記１に記載の無線通信システム。
（付記３）
前記基地局は、前記第１の無線通信方式に従って前記移動局と無線通信する第１無線機能部と、前記第２の無線通信方式に従って前記移動局と無線通信する第２無線機能部とを有し、
前記第１無線機能部は、前記無線ネットワーク制御装置から前記通信回線を介して受信した前記第１のデータに前記識別情報が付加されている場合、前記第１のデータを前記第２無線機能部へわたす、付記２に記載の無線通信システム。
（付記４）
前記識別情報は、前記第１のデータを含むパケットに付されたUDP Port番号の所定の値である、付記２または３に記載の無線通信システム。
（付記５）
前記識別情報は、前記第１のデータを含むパケットに付されたIPヘッダの所定領域内に設定されるハンドオーバ識別用ビット列の所定の値である、付記２または３に記載の無線通信システム。
（付記６）
前記基地局は、前記第２の無線通信方式に従って前記基地局と無線接続される移動局について、前記第１の無線通信方式に従って前記基地局と無線接続するようハンドオーバが発生したときに、前記移動局へ送信される第２のデータを前記通信回線を介して前記無線ネットワーク制御装置へ送信し、
前記無線ネットワーク制御装置は、前記第２のデータが前記移動局へ送信されることを確認するとともに前記第２のデータを前記基地局へ送信し、
前記基地局は、前記無線ネットワーク制御装置から受信した前記第２のデータを前記第１の無線通信方式に従って前記移動局へ送信する、付記１に記載の無線通信システム。
（付記７）
前記基地局は、前記第２の無線通信方式に従って前記基地局と無線接続される前記移動局について、前記第１の無線通信方式に従って前記基地局と無線接続するようハンドオーバが発生したときに、前記第２のデータに当該ハンドオーバが前記基地局内でのハンドオーバであることを表す識別情報を付加し、
前記無線ネットワーク制御装置は、前記基地局から受信した前記第２のデータに前記識別情報が付加されている場合、前記第２のデータが前記移動局へ送信されることを確認し、かつ、前記第２のデータから前記識別情報を除いてから前記基地局へ送信する、付記６に記載の無線通信システム。
（付記８）
第１の無線通信方式及び前記第１の無線通信方式と異なる第２の無線通信方式に対応する基地局と、前記基地局と通信回線を介して接続され、前記第１の無線通信方式に対応する無線ネットワーク制御装置とを有する無線通信システムにおけるハンドオーバ実行方法であって、
前記第１の無線通信方式に従って前記基地局と無線接続される移動局について、前記第２の無線通信方式に従って前記基地局と無線接続するようハンドオーバが発生したときに、前記移動局へ送信される第１のデータを、前記無線ネットワーク制御装置から前記通信回線を介して前記基地局へ送信し、
前記基地局により、前記第１のデータを前記第２の無線通信方式に従って前記移動局へ送信する、
ことを含むハンドオーバ実行方法。
（付記９）
前記第２の無線通信方式に従って前記基地局と無線接続される移動局について、前記第１の無線通信方式に従って前記基地局と無線接続するようハンドオーバが発生したときに、前記移動局へ送信される第２のデータを、前記基地局から前記通信回線を介して前記無線ネットワーク制御装置へ送信し、
前記無線ネットワーク制御装置により、前記第２のデータが前記移動局へ送信されることを確認するとともに前記第２のデータを前記基地局へ送信し、
前記基地局により、前記無線ネットワーク制御装置から受信した前記第２のデータを前記第１の無線通信方式に従って前記移動局へ送信する、
ことをさらに含む、付記６に記載のハンドオーバ実行方法。
（付記１０）
第１の無線通信方式に従って移動局と無線通信する第１無線機能部と、前記第１の無線通信方式と異なる第２の無線通信方式に従って移動局と無線通信する第２無線機能部とを有する基地局であって、
前記第２無線機能部は、前記第２の無線通信方式に従って前記基地局と無線接続される移動局について、前記第１の無線通信方式に従って前記基地局と無線接続するようハンドオーバが発生したときに、前記移動局へ送信されるデータに当該ハンドオーバが前記基地局内でのハンドオーバであることを表す識別情報を付加し、
前記第１無線機能部は、前記識別情報が付加された前記データを、前記基地局と前記第１の無線通信方式に対応する無線ネットワーク制御装置とを接続する通信回線を介して前記無線ネットワーク制御装置へ送信する、
基地局。
【符号の説明】
【００９２】
１    無線通信システム
２    共用基地局
２０    アンテナ
２１−１、２１−２    無線処理部
２２−１、２２−２    有線インターフェース部
２３    記憶部
２４    制御部
２５    第１無線機能部
２５１    転送判定部
２５２    終端部
２５３    ベースバンド処理部
２６    第２無線機能部
２６１    呼制御部
２６２    通信処理部
２６３    インターフェース処理部
２６４    ベースバンド処理部
３    無線ネットワーク制御装置(RNC)
３１−１、３１−２    有線インターフェース部
３２    記憶部
３３    制御部
３３１    呼制御部
３３２    通信処理部
３３３    Iuインターフェース処理部
３３４    Iubインターフェース処理部
４    移動局
５    Iub回線
【図１】
2018074402.tif 000003
【図２】
2018074402.tif 000004
【図３】
2018074402.tif 000005
【図４】
2018074402.tif 000006
【図５】
2018074402.tif 000007
【図６】
2018074402.tif 000008
【図７】
2018074402.tif 000009
【図８】
2018074402.tif 000010
【図９】
2018074402.tif 000011